(57)【要約】【課題】光学性能が更に向上した魚眼ズームレンズ、魚眼ズームレンズを有する光学機器及び魚眼ズームレンズの製造方法を提供する。【解決手段】  魚眼ズームレンズＺＬは、物体側から順に、負の屈折力を有する第１レンズ群ＧＦと、正の屈折力を有する第２レンズ群ＧＲと、を有し、最短焦点距離状態から最長焦点距離状態への変倍時に、第１レンズ群ＧＦと第２レンズ群ＧＲとの間隔が変化し、第１レンズ群ＧＦは、物体側から順に、負の屈折力を有する第１レンズ成分ＬＣ１と、正の屈折力を有する第２レンズ成分ＬＣ２と、を有する。【選択図】図１
2017156507.tif 000002
【特許請求の範囲】
【請求項１】
物体側から順に、
負の屈折力を有する第１レンズ群と、
正の屈折力を有する第２レンズ群と、を有し、
最短焦点距離状態から最長焦点距離状態への変倍時に、前記第１レンズ群と前記第２レンズ群との間隔が変化し、
前記第１レンズ群は、物体側から順に、
負の屈折力を有する第１レンズ成分と、
正の屈折力を有する第２レンズ成分と、を有することを特徴とする魚眼ズームレンズ。
【請求項２】
次式の条件を満足することを特徴とする請求項１に記載の魚眼ズームレンズ。
０．０  ＜  ｆｗ／ｆＬ２  ＜  １．０
但し、
ｆｗ：最短焦点距離状態における全系の焦点距離
ｆＬ２：前記第１レンズ群内の前記第２レンズ成分の焦点距離
【請求項３】
次式の条件を満足することを特徴とする請求項１または２に記載の魚眼ズームレンズ。
０．５  ＜  −ｆＦ／（ｆｗ・ｆｔ）1/2  ＜  ２．０
但し、
ｆＦ：前記第１レンズ群の焦点距離
ｆｗ：最短焦点距離状態における全系の焦点距離。
ｆｔ：最長焦点距離状態における全系の焦点距離
【請求項４】
次式の条件を満足することを特徴とする請求項１〜３のいずれか一項に記載の魚眼ズームレンズ。
１．０  ＜  ｆＲ／ｆｗ  ＜  １０．０
但し、
ｆＲ：前記第２レンズ群の焦点距離
ｆｗ：最短焦点距離状態における全系の焦点距離
【請求項５】
前記第１レンズ群は、物体側から順に、
前記第１レンズ成分と、
前記第２レンズ成分と、
負の屈折力を有する第３レンズ成分と、を有することを特徴とする請求項１〜４のいずれか一項に記載の魚眼ズームレンズ。
【請求項６】
次式の条件を満足することを特徴とする請求項１〜５のいずれか一項に記載の魚眼ズームレンズ。
０．１  ＜  −ｆＬ１／ｆｗ  ＜  １０．０
但し、
ｆＬ１：前記第１レンズ群内の前記第１レンズ成分の焦点距離
ｆｗ：最短焦点距離状態における全系の焦点距離
【請求項７】
次式の条件を満足することを特徴とする請求項１〜６のいずれか一項に記載の魚眼ズームレンズ。
ｎＬ２  ＜  １．７５０
但し、
ｎＬ２：前記第２レンズ成分の正レンズのｄ線に対する屈折率
【請求項８】
前記第１レンズ群内の前記第２レンズ成分には、少なくとも１面の非球面が設けられていることを特徴とする請求項１〜７のいずれか一項に記載の魚眼ズームレンズ。
【請求項９】
前記第２レンズ群は、合焦時に光軸上を移動する合焦レンズ群を有することを特徴とする請求項１〜８のいずれか一項に記載の魚眼ズームレンズ。
【請求項１０】
次式の条件を満足することを特徴とする請求項９に記載の魚眼ズームレンズ。
０．５  ＜  ｆＦＦ／ｆＲ  ＜  ５．０
但し、
ｆＦＦ：前記第２レンズ群内の前記合焦レンズ群の焦点距離
ｆＲ：前記第２レンズ群の焦点距離
【請求項１１】
次式の条件を満足することを特徴とする請求項１〜１０のいずれか一項に記載の魚眼ズームレンズ。
５０°  ＜  θｗ
但し、
θｗ：最短焦点距離状態における半画角
【請求項１２】
次式の条件を満足することを特徴とする請求項１〜１１のいずれか一項に記載の魚眼ズームレンズ。
５０°  ＜  θｔ
但し、
θｔ：最長焦点距離状態における半画角
【請求項１３】
請求項１〜１２のいずれか一項に記載の魚眼ズームレンズを有することを特徴とする光学機器。
【請求項１４】
物体側から順に、負の屈折力を有する第１レンズ群と、正の屈折力を有する第２レンズ群と、を有する魚眼ズームレンズの製造方法であって、
最短焦点距離状態から最長焦点距離状態への変倍時に、前記第１レンズ群と前記第２レンズ群との間隔が変化するように配置し、
前記第１レンズ群として、物体側から順に、負の屈折力を有する第１レンズ成分と、正の屈折力を有する第２レンズ成分と、を配置することを特徴とする魚眼ズームレンズの製造方法。
【発明の詳細な説明】
【技術分野】
【０００１】
本発明は、魚眼ズームレンズ、光学機器及び魚眼ズームレンズの製造方法に関する。
【背景技術】
【０００２】
従来、いわゆる負正群を有する魚眼ズームレンズは提案されている（例えば、特許文献１参照）。しかしながら、特許文献１は、さらなる光学性能の向上が要望されているという課題があった。
【先行技術文献】
【特許文献】
【０００３】
【特許文献１】特開２０１２−０２２１０９号公報
【発明の概要】
【０００４】
本発明の第一の態様に係る魚眼ズームレンズは、物体側から順に、負の屈折力を有する第１レンズ群と、正の屈折力を有する第２レンズ群と、を有し、最短焦点距離状態から最長焦点距離状態への変倍時に、第１レンズ群と第２レンズ群との間隔が変化し、第１レンズ群は、物体側から順に、負の屈折力を有する第１レンズ成分と、正の屈折力を有する第２レンズ成分と、を有することを特徴とする。
【０００５】
また、本発明の第一の態様に係る魚眼ズームレンズの製造方法は、物体側から順に、負の屈折力を有する第１レンズ群と、正の屈折力を有する第２レンズ群と、を有する魚眼ズームレンズの製造方法であって、最短焦点距離状態から最長焦点距離状態への変倍時に、第１レンズ群と第２レンズ群との間隔が変化するように配置し、第１レンズ群として、物体側から順に、負の屈折力を有する第１レンズ成分と、正の屈折力を有する第２レンズ成分と、を配置することを特徴とする。
【図面の簡単な説明】
【０００６】
【図１】第１実施例に係る魚眼ズームレンズのレンズ構成を示す断面図である。
【図２】第１実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図３】第２実施例に係る魚眼ズームレンズのレンズ構成を示す断面図である。
【図４】第２実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図５】第３実施例に係る魚眼ズームレンズのレンズ構成を示す断面図である。
【図６】第３実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図７】第４実施例に係る魚眼ズームレンズのレンズ構成を示す断面図である。
【図８】第４実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図９】第５実施例に係る魚眼ズームレンズのレンズ構成を示す断面図である。
【図１０】第５実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図１１】第６実施例に係る魚眼ズームレンズのレンズ構成を示す断面図である。
【図１２】第６実施例に係る魚眼ズームレンズの無限遠合焦状態における諸収差図であって、（ａ）は最短焦点距離状態を示し、（ｂ）は中間焦点距離状態を示し、（ｃ）は最長焦点距離状態を示す。
【図１３】上記魚眼ズームレンズを搭載するカメラの断面図である。
【図１４】上記魚眼ズームレンズの製造方法を説明するためのフローチャートである。
【発明を実施するための形態】
【０００７】
以下、好ましい実施形態について図面を参照して説明する。図１に示すように、本実施形態に係る魚眼ズームレンズＺＬは、物体側から順に、負の屈折力を有する第１レンズ群ＧＦと、正の屈折力を有する第２レンズ群ＧＲと、を有し、最短焦点距離状態から最長焦点距離状態への変倍時に、第１レンズ群ＧＦと第２レンズ群ＧＲとの間隔が変化する。このように構成することにより、小型でありながら、良好な光学性能を得ることができる。
【０００８】
また、本実施形態に係る魚眼ズームレンズＺＬにおいて、第１レンズ群ＧＦは、物体側から順に、負の屈折力を有する第１レンズ成分ＬＣ１と、正の屈折力を有する第２レンズ成分ＬＣ２と、を有して構成されている。このように構成することで、画角に関する収差、特に像面湾曲の改善を行うことができる。また、第２レンズ成分ＬＣ２を正の屈折力とすることにより、この構成位置に正レンズがあることが適切なペッツバール和の設定が可能となり、ひいては良好な像面湾曲の達成が可能となる。
【０００９】
また、本実施形態に係る魚眼ズームレンズＺＬは、以下に示す条件式（１）を満足することが望ましい。
【００１０】
０．０  ＜  ｆｗ／ｆＬ２  ＜  １．０                        （１）
但し、
ｆｗ：最短焦点距離状態における全系の焦点距離
ｆＬ２：第１レンズ群ＧＦ内の第２レンズ成分ＬＣ２の焦点距離
【００１１】
条件式（１）は、第１レンズ群ＧＦ内の正の屈折力を有する第２レンズ成分ＬＣ２の焦点距離と最短焦点距離状態における全系の焦点距離との適切な値を規定するものである。本実施形態に係る魚眼ズームレンズＺＬは、この条件式（１）を満足することにより、適切なペッツバール和を得られ、ひいては良好な像面湾曲及び非点収差の達成が可能となる。条件式（１）の上限値を上回ると、第１レンズ群ＧＦ内の正の屈折力を有する第２レンズ成分ＬＣ２の焦点距離が大きくなる、すなわち、正の屈折力が減少する。このため、最適なペッツバール和を得られなくなり、全系のペッツバール和は負の値をとるようになる。したがって、像面湾曲及び非点収差が悪化し、好ましい描画性能が得られなくなる。なお、この条件式（１）の効果を確実にするために、条件式（１）の上限値を０．６０とすることが望ましい。また、この条件式（１）の効果をさらに確実にするために、条件式（１）の上限値を０．３０とすることが望ましい。また、この条件式（１）の効果をさらに確実にするために、条件式（１）の上限値を０．１０とすることが望ましい。また、条件式（１）の下限値を下回ると、第１レンズ群ＧＦ内の第２レンズ成分ＬＣ２が負の屈折力となることを意味する。従って、最適なペッツバール和を得られなくなり、全系のペッツバール和は負の値をとるようになる。そのため、像面湾曲及び非点収差が悪化し、好ましい描画性能が得られなくなる。
【００１２】
また、本実施形態に係る魚眼ズームレンズＺＬは、以下に示す条件式（２）を満足することが望ましい。
【００１３】
０．５  ＜  −ｆＦ／（ｆｗ・ｆｔ）1/2  ＜  ２．０            （２）
但し、
ｆＦ：第１レンズ群ＧＦの焦点距離
ｆｗ：最短焦点距離状態における全系の焦点距離。
ｆｔ：最長焦点距離状態における全系の焦点距離
【００１４】
条件式（２）は、第１レンズ群ＧＦの最適焦点距離、言い換えれば最適な屈折力配置を規定する条件である。この条件式（２）を満足することにより、変倍域における全長変化を最小に抑え、良好な収差補正を実現することが可能となる。条件式（２）の上限値を上回ると、第１レンズ群ＧＦの負の屈折力が低下し、最短焦点距離状態（広角端）で全長が最も大きくなる。無理に小型化をすると、変倍による収差変動が増し、特にコマ収差が悪化するので好ましくない。なお、この条件式（２）の効果を確実にするために、条件式（２）の上限値を１．８とすることが望ましい。また、この条件式（２）の効果をさらに確実にするために、条件式（２）の上限値を１．７とすることが望ましい。また、この条件式（２）の効果をさらに確実にするために、条件式（２）の上限値を１．５とすることが望ましい。また、条件式（２）の下限値を下回ると、第１レンズ群ＧＦの負の屈折力が増加し、最長焦点距離状態（望遠端）で全長が最も長くなる。その結果、ペッツバール和が悪化し、第１レンズ成分ＬＣ１の製造も困難となり、変倍による収差変動が増し、特にコマ収差、像面湾曲、非点収差が悪化するので好ましくない。なお、この条件式（２）の効果を確実にするために、条件式（２）の下限値を０．６とすることが望ましい。また、この条件式（２）の効果をさらに確実にするために、条件式（２）の下限値を０．７とすることが望ましい。また、この条件式（２）の効果をさらに確実にするために、条件式（２）の下限値を０．８とすることが望ましい。
【００１５】
また、本実施形態に係る魚眼ズームレンズＺＬは、以下に示す条件式（３）を満足することが望ましい。
【００１６】
１．０  ＜  ｆＲ／ｆｗ  ＜  １０．０                        （３）
但し、
ｆＲ：第２レンズ群ＧＲの焦点距離
ｆｗ：最短焦点距離状態における全系の焦点距離
【００１７】
条件式（３）は、第２レンズ群ＧＲの最適焦点距離、言い換えれば最適な屈折力配置を規定するものである。この条件式（３）を満足することにより、良好な収差補正と変倍による収差変動を最小に保つことができる。条件式（３）の上限値を上回ると、変倍時の第２レンズ群ＧＲの移動量が増加し、最長焦点距離状態側（望遠側）でＦナンバーが暗くなる。このため、大口径化を進めた場合、最長焦点距離状態側（望遠側）の球面収差の補正が悪化し好ましくない。なお、この条件式（３）の効果を確実にするために、条件式（３）の上限値を８．０とすることが望ましい。また、この条件式（３）の効果をさらに確実にするために、条件式（３）の上限値を６．０とすることが望ましい。また、この条件式（３）の効果をさらに確実にするために、条件式（３）の上限値を４．０とすることが望ましい。また、条件式（３）の下限値を下回ると、変倍時の第２レンズ群ＧＲの移動量は小さくなるが、各レンズ要素の屈折力も増し、結果的に球面収差の変動、コマ収差の悪化を招き好ましくない。なお、この条件式（３）の効果を確実にするために、条件式（３）の下限値を１．５とすることが望ましい。また、この条件式（３）の効果をさらに確実にするために、条件式（３）の下限値を２．０とすることが望ましい。また、この条件式（３）の効果をさらに確実にするために、条件式（３）の下限値を２．５とすることが望ましい。
【００１８】
また、本実施形態に係る魚眼ズームレンズＺＬにおいて、第１レンズ群ＧＦは、物体側から順に、負の屈折力を有する第１レンズ成分ＬＣ１と、正の屈折力を有する第２レンズ成分ＬＣ２と、負の屈折力を有する第３レンズ成分ＬＣ３と、を有することが望ましい。このように構成することにより、ペッツバール和の適正化と軸外収差、特に像面湾曲、非点収差、コマ収差の補正を良好にすることが可能となる。
【００１９】
また、本実施形態に係る魚眼ズームレンズＺＬは、以下に示す条件式（４）を満足することが望ましい。
【００２０】
０．１  ＜  −ｆＬ１／ｆｗ  ＜  １０．０                    （４）
但し、
ｆＬ１：第１レンズ群ＧＦ内の第１レンズ成分ＬＣ１の焦点距離
ｆｗ：最短焦点距離状態における全系の焦点距離
【００２１】
条件式（４）は、第１レンズ群ＧＦ内の負の屈折力を有する第１レンズ成分ＬＣ１の焦点距離の適切な値を規定するものである。この条件式（４）を満足することにより、適切な屈折力が得られ、魚眼ズームレンズＺＬに必要な所定の歪曲量の設定や、ひいては良好な像面湾曲および非点収差が実現できる。条件式（４）の上限値を上回ると、系全体が大型化する。また、魚眼ズームレンズＺＬに必要な所定の歪曲量の確保が困難になる。また、画角も減少し好ましくない。なお、この条件式（４）の効果を確実にするために、条件式（４）の上限値を８．０とすることが望ましい。また、この条件式（４）の効果をさらに確実にするために、条件式（４）の上限値を７．０とすることが望ましい。また、この条件式（４）の効果をさらに確実にするために、条件式（４）の上限値を６．０とすることが望ましい。また、条件式（４）の下限値を下回ると、第１レンズ成分ＬＣ１の屈折力が強くなりすぎて魚眼ズームレンズＺＬに必要な所定の歪曲量の設定や、ひいては良好な像面湾曲および非点収差が悪化し好ましくない。なお、この条件式（４）の効果を確実にするために、条件式（４）の下限値を０．２とすることが望ましい。また、この条件式（４）の効果をさらに確実にするために、条件式（４）の下限値を０．５とすることが望ましい。また、この条件式（４）の効果をさらに確実にするために、条件式（４）の下限値を１．０とすることが望ましい。
【００２２】
また、本実施形態に係る魚眼ズームレンズＺＬは、以下に示す条件式（５）を満足することが望ましい。
【００２３】
ｎＬ２  ＜  １．７５０                                      （５）
但し、
ｎＬ２：第２レンズ成分ＬＣ２の正レンズのｄ線に対する屈折率
【００２４】
条件式（５）は、第２レンズ成分ＬＣ２の正レンズの屈折率に対する条件である。なお、ｎＬ２は、正の屈折力を有する第２レンズ成分ＬＣ２が単レンズで構成されているときは、その単レンズのｄ線に対する屈折率であり、接合レンズで構成されているときは、その接合レンズうち、正レンズのｄ線に対する屈折率である。この条件式（５）を満足することにより、適切なペツバールをを得られ、ひいては良好な像面湾曲および非点収差が実現できる。条件式（５）の上限値を上回ると、適切なペツバール和を得られず、像面湾曲および非点収差の補正が悪化する。ひいてはペッツバール和が負の値をとり好ましくない。なお、この条件式（５）の効果を確実にするために、条件式（５）の上限値を１．７２０とすることが望ましい。また、この条件式（５）の効果をさらに確実にするために、条件式（５）の上限値を１．７００とすることが望ましい。また、この条件式（５）の効果をさらに確実にするために、条件式（５）の上限値を１．６５０とすることが望ましい。
【００２５】
また、本実施形態に係る魚眼ズームレンズＺＬにおいて、第１レンズ群ＧＦ内の第２レンズ成分ＬＣ２には、少なくとも１面の非球面が設けられていることが望ましい。このように構成することにより、変倍によるコマ収差、像面湾曲、非点収差の変動の防止と良好な補正を行うことが可能となる。また、魚眼ズームレンズＺＬとしての最適な歪曲量の設定が可能となる。
【００２６】
また、本実施形態に係る魚眼ズームレンズＺＬにおいて、第２レンズ群ＧＲは、合焦時に光軸上を移動する合焦レンズ群ＧＦＦを有することが望ましい。近距離物点への合焦は、第２レンズ群ＧＲ内の一部のレンズを光軸に沿って移動させることが、近距離変動、特に像面湾曲の変動を抑制し有利である。
【００２７】
また、本実施形態に係るズームレンズは、以下に示す条件式（６）を満足することが望ましい。
【００２８】
０．５  ＜  ｆＦＦ／ｆＲ  ＜  ５．０                        （６）
但し、
ｆＦＦ：第２レンズ群ＧＲ内の合焦レンズ群ＧＦＦの焦点距離
ｆＲ：第２レンズ群ＧＲの焦点距離
【００２９】
条件式（６）は、第２レンズ群ＧＲ内の合焦のために移動する合焦レンズ群ＧＦＦの最適な焦点距離を規定するものである。条件式（６）の上限値を上回ると、合焦レンズ群ＧＦＦの合焦のための移動量が増し、第１レンズ群ＧＦと第２レンズ群ＧＲとの間隔を大きく確保せねばならず、結果的に像面湾曲、非点収差、コマ収差が悪化する。なお、この条件式（６）の効果を確実にするために、条件式（６）の上限値を４．０とすることが望ましい。また、この条件式（６）の効果をさらに確実にするために、条件式（６）の上限値を３．０とすることが望ましい。また、この条件式（６）の効果をさらに確実にするために、条件式（６）の上限値を２．０とすることが望ましい。また、条件式（６）の下限値を下回ると、合焦レンズ群ＧＦＦの屈折力が強くなることで、球面収差の補正、合焦時の球面収差、コマ収差等の近距離収差変動が増し好ましくない。なお、この条件式（６）の効果を確実にするために、条件式（６）の下限値を０．７とすることが望ましい。また、この条件式（６）の効果をさらに確実にするために、条件式（６）の下限値を０．９とすることが望ましい。また、この条件式（６）の効果をさらに確実にするために、条件式（６）の下限値を１．１とすることが望ましい。
【００３０】
また、本実施形態に係る魚眼ズームレンズＺＬは、以下に示す条件式（７）を満足することが望ましい。
【００３１】
５０°  ＜  θｗ                                            （７）
但し、
θｗ：最短焦点距離状態における半画角
【００３２】
条件式（７）は、最短焦点距離状態の半画角の適切な範囲を規定するものである。この条件式（７）を満足することで、いわゆる円形魚眼や対角線魚眼の撮影が、様々なフォーマットサイズにおいて可能となる。すなわち、広い画角を有しつつ、像面湾曲収差及び非点収差を良好に補正し、魚眼ズームレンズＺＬの所定の歪曲量を確保できる。なお、この条件式（７）の効果を確実にするために、条件式（７）の下限値を６０°とすることが望ましい。また、この条件式（７）の効果をさらに確実にするために、条件式（７）の下限値を７０°とすることが望ましい。また、この条件式（７）の効果をさらに確実にするために、条件式（７）の下限値を８０°とすることが望ましい。また、この条件式（７）の効果をさらに確実にするために、条件式（７）の下限値を８５°とすることが望ましい。また、この条件式（７）の効果をさらに確実にするために、条件式（７）の下限値を８７°とすることが望ましい。
【００３３】
また、本実施形態に係る魚眼ズームレンズＺＬは、以下に示す条件式（８）を満足することが望ましい。
【００３４】
５０°  ＜  θｔ                                            （８）
但し、
θｔ：最長焦点距離状態における半画角
【００３５】
条件式（８）は、最長短焦点距離状態の半画角の適切な範囲を規定するものである。この条件式（８）を満足することで、いわゆる円形魚眼や対角線魚眼の撮影が、様々なフォーマットサイズにおいて可能となる。すなわち、広い画角を有しつつ、像面湾曲収差及び非点収差を良好に補正し、魚眼ズームレンズＺＬの所定の歪曲量を確保できる。なお、この条件式（８）の効果を確実にするために、条件式（８）の下限値を６０°とすることが望ましい。また、この条件式（８）の効果をさらに確実にするために、条件式（７）の下限値を７０°とすることが望ましい。また、この条件式（７）の効果をさらに確実にするために、条件式（８）の下限値を８０°とすることが望ましい。また、この条件式（８）の効果をさらに確実にするために、条件式（８）の下限値を８５°とすることが望ましい。また、この条件式（８）の効果をさらに確実にするために、条件式（８）の下限値を８７°とすることが望ましい。
【００３６】
なお、以上で説明した条件及び構成は、それぞれが上述した効果を発揮するものであり、全ての条件及び構成を満たすものに限定されることはなく、いずれかの条件又は構成、或いは、いずれかの条件又は構成の組み合わせを満たすものでも、上述した効果を得ることが可能である。
【００３７】
次に、本実施形態に係る魚眼ズームレンズＺＬを備えた光学機器であるカメラを図１３に基づいて説明する。このカメラ１は、撮影レンズ２として本実施形態に係る魚眼ズームレンズＺＬを備えたレンズ交換式の所謂ミラーレスカメラである。本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子により被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
【００３８】
また、撮影者によって不図示のレリーズボタンが押されると、撮像部３により光電変換された画像が不図示のメモリに記憶される。このようにして、撮影者は本カメラ１による被写体の撮影を行うことができる。なお、本実施形態では、ミラーレスカメラの例を説明したが、カメラ本体にクイックリターンミラーを有しファインダー光学系により被写体を観察する一眼レフタイプのカメラに本実施形態に係る魚眼ズームレンズＺＬを搭載した場合でも、上記カメラ１と同様の効果を奏することができる。
【００３９】
なお、以下に記載の内容は、光学性能を損なわない範囲で適宜採用可能である。
【００４０】
本実施形態では、２群構成の魚眼ズームレンズＺＬを示したが、以上の構成条件等は、３群、４群等の他の群構成にも適用可能である。また、最も物体側にレンズまたはレンズ群を追加した構成や、最も像面側にレンズまたはレンズ群を追加した構成でも構わない。具体的には、最も像面側に、変倍時又は合焦時に像面に対する位置を固定されたレンズ群を追加した構成が考えられる。また、レンズ群とは、変倍時又は合焦時に変化する空気間隔で分離された、少なくとも１枚のレンズを有する部分を示す。また、本実施形態の魚眼ズームレンズＺＬは、変倍時に各群間の空気間隔が変化するように、第１レンズ群ＧＦ及び第２レンズ群ＧＲがそれぞれ光軸に沿って移動する。また、レンズ成分とは、単レンズ又は複数のレンズが接合された接合レンズをいう。
【００４１】
また、単独または複数のレンズ群、または部分レンズ群を光軸方向に移動させて、無限遠物体から近距離物体への合焦を行う合焦レンズ群としても良い。この場合、合焦レンズ群はオートフォーカスにも適用でき、オートフォーカス用の（超音波モータ等の）モータ駆動にも適している。特に、上述したように、第２レンズ群ＧＲの少なくとも一部を合焦レンズ群ＧＦＦとし、その他のレンズは合焦時に像面に対する位置を固定とするのが好ましい。モータにかかる負荷を考慮すると、合焦レンズ群は単レンズから構成するのが好ましい。
【００４２】
また、レンズ群または部分レンズ群を光軸に直交方向の変位成分を持つように移動させ、または、光軸を含む面内方向に回転移動（揺動）させて、手振れによって生じる像ブレを補正する防振レンズ群としてもよい。特に、第２レンズ群ＧＲの少ともなく一部を防振レンズ群とするのが好ましい。
【００４３】
また、レンズ面は、球面または平面で形成されても、非球面で形成されても構わない。レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）或いはプラスチックレンズとしてもよい。
【００４４】
開口絞りＳは、第２レンズ群ＧＲの近傍または中に配置されるのが好ましいが、開口絞りとしての部材を設けずに、レンズの枠でその役割を代用してもよい。
【００４５】
さらに、各レンズ面には、フレアやゴーストを軽減し高コントラストの高い光学性能を達成するために、広い波長域で高い透過率を有する反射防止膜を施してもよい。
【００４６】
また、本実施形態の魚眼ズームレンズＺＬは、変倍比が１．５〜５倍程度である。
【００４７】
以下、本実施形態に係る魚眼ズームレンズＺＬの製造方法の概略を、図１４を参照して説明する。まず、各レンズを配置して第１レンズ群ＧＦ及び第２レンズ群ＧＲをそれぞれ準備し（ステップＳ１００）、最短焦点距離状態から最長焦点距離状態への変倍時に、第１レンズ群ＧＦと第２レンズ群ＧＲとの間隔が変化するように配置する（ステップＳ２００）。また、第１レンズ群ＧＦとして、物体側から順に、負の屈折力を有する第１レンズ成分ＬＣ１と、正の屈折力を有する第２レンズ成分ＬＣ２と、を配置する（ステップＳ３００）。
【００４８】
具体的には、本実施形態では、例えば図１に示すように、物体側から順に、物体側に凸面を向けた負メニスカスレンズＬ１１、物体側のレンズ面が非球面形状に形成された両凸レンズ形状の正レンズＬ１２、物体側に凸面を向けた負メニスカスレンズＬ１３、両凹負レンズＬ１４、及び、両凸正レンズＬ１５を配置して第１レンズ群ＧＦとし、両凸正レンズＬ２１、物体側に凹面を向けた負メニスカスレンズＬ２２、両凹負レンズＬ２３と両凸正レンズＬ２４とを接合した接合レンズ、開口絞りＳ、物体側に凹面を向けた負メニスカスレンズＬ２５、両凸正レンズＬ２６と両凹負レンズＬ２７と両凸正レンズＬ２８とを接合した接合レンズ、両凹負レンズＬ２９と両凸正レンズＬ２１０とを接合した接合レンズ、及び、両凸正レンズＬ２１１を配置して第２レンズ群ＧＲとする。このように準備した各レンズ群を上述の手順で配置して魚眼ズームレンズＺＬを製造する。
【００４９】
以上のような構成により、光学性能が更に向上した魚眼ズームレンズＺＬ、この魚眼ズームレンズＺＬを有する光学機器及び魚眼ズームレンズＺＬの製造方法を提供することができる。
【実施例】
【００５０】
以下、本願の各実施例を、図面に基づいて説明する。なお、図１、図３、図５、図７、図９及び図１１は、各実施例に係る魚眼ズームレンズＺＬ（ＺＬ１〜ＺＬ６）の構成及び屈折力配分を示す断面図である。また、これらの魚眼ズームレンズＺＬ１〜ＺＬ６の断面図の下部には、最短焦点距離状態（Ｗ）から最長焦点距離状態（Ｔ）に変倍する際の各レンズ群ＧＦ、ＧＲ（ＧＲ２）の光軸に沿った移動方向が矢印で示されている。
【００５１】
各実施例において、非球面は、光軸に垂直な方向の高さをｙとし、高さｙにおける各非球面の頂点の接平面から各非球面までの光軸に沿った距離（サグ量）をＳ（ｙ）とし、基準球面の曲率半径（近軸曲率半径）をｒとし、円錐定数をＫとし、ｎ次の非球面係数をＡnとしたとき、以下の式（ａ）で表される。なお、以降の実施例において、「Ｅ−ｎ」は「×１０-n」を示す。
【００５２】
Ｓ（ｙ）＝（ｙ2／ｒ）／｛１＋（１−Ｋ×ｙ2／ｒ2）1/2｝
＋Ａ4×ｙ4＋Ａ6×ｙ6＋Ａ8×ｙ8＋Ａ10×ｙ10    （ａ）
【００５３】
なお、各実施例において、２次の非球面係数Ａ2は０である。また、各実施例の表中において、非球面には面番号の右側に＊印を付している。
【００５４】
［第１実施例］
図１は、第１実施例に係る魚眼ズームレンズＺＬ１の構成を示す図である。この図１に示す魚眼ズームレンズＺＬ１は、物体側から順に、負の屈折力を有する第１レンズ群ＧＦと、正の屈折力を有する第２レンズ群ＧＲと、から構成されている。
【００５５】
この魚眼ズームレンズＺＬ１において、第１レンズ群ＧＦは、物体側から順に、物体側に凸面を向けた負メニスカスレンズＬ１１、物体側のレンズ面が非球面形状に形成された両凸レンズ形状の正レンズＬ１２、物体側に凸面を向けた負メニスカスレンズＬ１３、両凹負レンズＬ１４、及び、両凸正レンズＬ１５で構成されている。また、第２レンズ群ＧＲは、物体側から順に、両凸正レンズＬ２１、物体側に凹面を向けた負メニスカスレンズＬ２２、両凹負レンズＬ２３と両凸正レンズＬ２４とを接合した接合レンズ、物体側に凹面を向けた負メニスカスレンズＬ２５、両凸正レンズＬ２６と両凹負レンズＬ２７と両凸正レンズＬ２８とを接合した接合レンズ、両凹負レンズＬ２９と両凸正レンズＬ２１０とを接合した接合レンズ、及び、両凸正レンズＬ２１１で構成されている。また、開口絞りＳは、両凸正レンズＬ２４と負メニスカスレンズＬ２５との間に配置されている。なお、この第１実施例では、負メニスカスレンズＬ１１が第１レンズ成分ＬＣ１に相当し、正レンズＬ１２が第２レンズ成分ＬＣ２に相当し、負メニスカスレズＬ１３が第３レンズ成分ＬＣ３に相当する。
【００５６】
この魚眼ズームレンズＺＬ１は、最短焦点距離状態から最長焦点距離状態への変倍に際し、第１レンズ群ＧＦと第２レンズ群ＧＲとの間隔が減少するように、各レンズ群が光軸に沿って移動するように構成されている。なお、開口絞りＳは第２レンズ群ＧＲと一体に移動する。
【００５７】
また、この魚眼ズームレンズＺＬ１において、第２レンズ群ＧＲ内の両凸正レンズＬ２１、負メニスカスレンズＬ２２、及び、両凹負レンズＬ２３と両凸正レンズＬ２４とを接合した接合レンズを合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【００５８】
以下の表１に、魚眼ズームレンズＺＬ１の諸元の値を掲げる。この表１において、全体諸元に示すｆは全系の焦点距離、ＦｎｏはＦナンバー、θは半画角（単位は［°］）、Ｙは最大像高、及び、ＴＬは全長を、最短焦点距離状態及び最長焦点距離状態毎に無限遠合焦時の値として表している。ここで、全長ＴＬは、無限合焦時の最も物体側のレンズ面（第１面）から像面Ｉまでの光軸上の距離を示している。また、レンズデータにおける第１欄ｍは、光線の進行する方向に沿った物体側からのレンズ面の順序（面番号）を、第２欄ｒは、各レンズ面の曲率半径を、第３欄ｄは、各光学面から次の光学面までの光軸上の距離（面間隔）を、第４欄νｄ及び第５欄ｎｄはそれぞれ、ｄ線（λ＝５８７．６ｎｍ）に対するアッベ数及び屈折率を示している。また、曲率半径0.0000は平面を示し、空気の屈折率1.000000は省略してある。なお、レンズ群焦点距離は第１レンズ群ＧＦ及び第２レンズ群ＧＲの各々の始面の面番号と焦点距離を示している。
【００５９】
ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。また、これらの符号の説明及び諸元表の説明は以降の実施例においても同様である。
【００６０】
（表１）第１実施例
［全体諸元］
最短焦点距離状態  最長焦点距離状態
ｆ      ＝   8.17936      〜  15.45401
Ｆｎｏ  ＝   3.55085      〜   4.60654
θ［°］＝  89.03499      〜  88.12006
Ｙ      ＝  11.2          〜  21.6
ＴＬ    ＝ 122.99825      〜 124.03047
［レンズデータ］
ｍ        ｒ          ｄ      νｄ      ｎｄ
物面      ∞
1      129.2654     2.6000    68.69    1.592820
2       17.6456    14.0000
3*     420.1390     6.0000    58.12    1.622990
4     -467.5523     0.1000
5       66.4895     1.5000    82.57    1.497820
6       12.6796     8.0000
7      -19.7959     1.2000    67.90    1.593190
8      122.2316     0.1000
9       46.6615     3.0000    22.74    1.808090
10     -118.9061      d10
11       75.4847     1.0000    44.81    1.744000
12      -46.5917     1.0000
13      -11.2486     0.8000    40.66    1.883000
14      -11.5235     0.1000
15      -31.8404     0.8000    40.66    1.883000
16       34.7094     2.2000    47.14    1.670030
17      -19.7636      d17
18        0.0000     2.0500                        開口絞りＳ
19      -11.5663     1.0000    58.96    1.518230
20      -25.6602     0.2000
21       14.7884     3.6208    70.45    1.487490
22      -20.4675     0.8000    40.80    1.883000
23       14.7848     4.0000    35.45    1.592700
24      -15.6622     0.1000
25      -44.4603     0.9300    37.35    1.834000
26       18.2839     4.0000    82.57    1.497820
27      -27.4996     0.1000
28       42.2835     3.0000    68.69    1.592820
29      -43.0903      Bf
像面      ∞
［レンズ群焦点距離］
レンズ群      始面    焦点距離
第１レンズ群      1      -10.91327
第２レンズ群     11       26.79648
合焦レンズ群     11       38.51278
【００６１】
この魚眼ズームレンズＺＬ１において、第３面は非球面形状に形成されている。次の表２に、非球面のデータ、すなわち円錐定数Ｋ及び各非球面定数Ａ4〜Ａ10の値を示す。
【００６２】
（表２）
［非球面データ］
Ｋ       Ａ4           Ａ6           Ａ8           Ａ10
第 3面   491.7726   1.03594E-05  -9.46762E-09   0.00000E+00   0.00000E+00
【００６３】
この魚眼ズームレンズＺＬ１において、第１レンズ群ＧＦと第２レンズ群ＧＲとの軸上空気間隔ｄ１０、及び、バックフォーカスＢｆは、上述したように、変倍時に変化する。また、合焦レンズ群ＧＦＦの物体側の間隔ｄ１０及び像側の間隔ｄ１７は合焦時に変化する。次の表３に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。なお、ｆは全系の焦点距離を示し、βは倍率を示し、Ｄ０は魚眼ズームレンズＺＬ１の最も物体側の面（第１面）から物体までの距離を示す。また、バックフォーカスＢｆは、最も像面側のレンズ面（第２９面）から像面Ｉまでの光軸上の距離を示している。以降の実施例においても同様である。
【００６４】
（表３）
［可変間隔データ］
無限遠                          中間距離
Ｗ         Ｍ         Ｔ        Ｗ         Ｍ         Ｔ
ｆ       8.17936   11.85140   15.45401
β                                       -0.02000   -0.02000   -0.02000
Ｄ０     0.0000     0.0000     0.0000   386.5527   571.1091   751.7172
ｄ１０  18.82072    7.74298    1.99072   19.13483    7.94404    2.14939
ｄ１７   3.47734    3.47734    3.47734    3.16323    3.27628    3.31867
Ｂｆ    38.49936   47.51570   56.36157   38.49932   47.51567   56.36154
至近
Ｗ         Ｍ         Ｔ
β      -0.16393   -0.26089   -0.33387
Ｄ０    27.3631    23.8639    25.1945
ｄ１０  21.44572   10.36798    4.61572
ｄ１７   0.85234    0.85234    0.85234
Ｂｆ    38.49689   47.50945   56.35133
【００６５】
次の表４に、この魚眼ズームレンズＺＬ１における各条件式対応値を示す。この表４において、ｆｗは最短焦点距離状態における全系の焦点距離を、ｆｔは最長焦点距離状態における全系の焦点距離を、ｆＦは第１レンズ群ＧＦの焦点距離を、ｆＲは第２レンズ群ＧＲの焦点距離を、ｆＦＦは合焦レンズ群ＧＦＦの焦点距離を、ｆＬ１は第１レンズ成分ＬＣ１の焦点距離を、ｆＬ２は第２レンズ成分ＬＣ２の焦点距離を、ｎＬ２は第２レンズ成分ＬＣ２の正レンズのｄ線に対する屈折率を、θｗは最短焦点距離状態における半画角を、θｔは最長焦点距離状態における半画角を、それぞれ表している。この符号の説明は、以降の実施例においても同様である。
【００６６】
（表４）
ｆｗ＝8.17936
ｆｔ＝15.45401
ｆＦ＝-10.91327
ｆＲ＝ 26.79648
ｆＦＦ＝38.51278
ｆＬ１＝-34.77252
ｆＬ２＝356.12985
［条件式対応値］
（１）ｆｗ／ｆＬ２＝0.0230
（２）−ｆＦ／（ｆｗ・ｆｔ）1/2＝0.9707
（３）ｆＲ／ｆｗ＝3.2761
（４）−ｆＬ１／ｆｗ＝4.2512
（５）ｎＬ２＝1.62299
（６）ｆＦＦ／ｆＲ＝1.4372
（７）θｗ＝89.035
（８）θｔ＝88.120
【００６７】
このように、この魚眼ズームレンズＺＬ１は、上記条件式（１）〜（８）を全て満足している。
【００６８】
この魚眼ズームレンズＺＬ１の、無限遠合焦時の最短焦点距離状態、中間焦点距離状態及び最長焦点距離状態における球面収差図、非点収差図、歪曲収差図、倍率色収差図及びコマ収差図を図２に示す。各収差図において、ＦＮＯはＦナンバー、Ｙは像高を示す。なお、球面収差図では最大口径に対応するＦナンバーの値を示し、非点収差図及び歪曲収差図では像高の最大値をそれぞれ示し、コマ収差図では各像高の値を示す。ｄはｄ線（λ＝５８７．６ｎｍ）、ｇはｇ線（λ＝４３５．８ｎｍ）をそれぞれ示す。非点収差図において、実線はサジタル像面、破線はメリディオナル像面をそれぞれ示す。また、以降に示す各実施例の収差図においても、本実施例と同じ符号を用いる。これらの各収差図より、この魚眼ズームレンズＺＬ１は、最短焦点距離状態から最長焦点距離状態にわたって諸収差が良好に補正され、優れた結像性能を有することがわかる。
【００６９】
［第２実施例］
図３は、第２実施例に係る魚眼ズームレンズＺＬ２の構成を示す図である。この図３に示す魚眼ズームレンズＺＬ２は、物体側から順に、負の屈折力を有する第１レンズ群ＧＦと、正の屈折力を有する第２レンズ群ＧＲと、から構成されている。
【００７０】
この魚眼ズームレンズＺＬ２において、第１レンズ群ＧＦは、物体側から順に、物体側に凸面を向けた負メニスカスレンズＬ１１、物体側のレンズ面が非球面形状に形成された両凸レンズ形状の正レンズＬ１２、物体側に凸面を向けた負メニスカスレンズＬ１３、両凹負レンズＬ１４、及び、両凸正レンズＬ１５で構成されている。また、第２レンズ群ＧＲは、物体側から順に、両凸正レンズＬ２１、物体側に凹面を向けた負メニスカスレンズＬ２２、両凹負レンズＬ２３と両凸正レンズＬ２４とを接合した接合レンズ、物体側に凹面を向けた負メニスカスレンズＬ２５、両凸正レンズＬ２６と両凹負レンズＬ２７と両凸正レンズＬ２８とを接合した接合レンズ、両凹負レンズＬ２９と両凸正レンズＬ２１０とを接合した接合レンズ、及び、両凸正レンズＬ２１１で構成されている。また、開口絞りＳは、両凸正レンズＬ２４と負メニスカスレンズＬ２５との間に配置されている。なお、この第２実施例では、負メニスカスレンズＬ１１が第１レンズ成分ＬＣ１に相当し、正レンズＬ１２が第２レンズ成分ＬＣ２に相当し、負メニスカスレズＬ１３が第３レンズ成分ＬＣ３に相当する。
【００７１】
この魚眼ズームレンズＺＬ２は、最短焦点距離状態から最長焦点距離状態への変倍に際し、第１レンズ群ＧＦと第２レンズ群ＧＲとの間隔が減少するように、各レンズ群が光軸に沿って移動するように構成されている。なお、開口絞りＳは第２レンズ群ＧＲと一体に移動する。
【００７２】
また、この魚眼ズームレンズＺＬ２において、第２レンズ群ＧＲ内の両凸正レンズＬ２１、負メニスカスレンズＬ２２、及び、両凹負レンズＬ２３と両凸正レンズＬ２４とを接合した接合レンズを合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【００７３】
以下の表５に、魚眼ズームレンズＺＬ２の諸元の値を掲げる。
【００７４】
（表５）第２実施例
［全体諸元］
最短焦点距離状態  最長焦点距離状態
ｆ      ＝   8.17936      〜  15.45401
Ｆｎｏ  ＝   3.55076      〜   4.60767
θ［°］＝  89.11926      〜  88.29318
Ｙ      ＝  11.2          〜  21.6
ＴＬ    ＝ 122.94470      〜 123.97692
［レンズデータ］
ｍ        ｒ          ｄ      νｄ      ｎｄ
物面      ∞
1      134.2522     2.6000    66.99    1.593490
2       17.7203    14.0000
3*     449.1675     6.0000    58.12    1.622990
4     -372.8103     0.1000
5       65.8905     1.5000    82.57    1.497820
6       12.5469     8.0000
7      -19.9607     1.2000    67.90    1.593190
8      107.8129     0.1000
9       44.4709     3.0000    22.74    1.808090
10     -123.9984      d10
11       76.4207     1.0000    44.81    1.744000
12      -45.7782     1.0000
13      -11.2443     0.8000    40.66    1.883000
14      -11.5293     0.1000
15      -31.7493     0.8000    40.66    1.8830003
16       34.5949     2.2000    47.14    1.670030
17      -19.7594      d17
18        0.0000     2.0500                        開口絞り
19      -11.6294     1.0000    58.96    1.518230
20      -25.6857     0.2000
21       14.7336     3.5737    70.45    1.487490
22      -20.1199     0.8000    40.80    1.883000
23       14.8504     4.0000    35.45    1.5927000
24      -15.5769     0.1000
25      -42.8650     0.9300    37.35    1.834000
26       18.2541     4.0000    82.57    1.497820
27      -26.6294     0.1000
28       42.4808     3.0000    66.99    1.593490
29      -43.6747      Bf
像面      ∞
［レンズ群焦点距離］
レンズ群      始面    焦点距離
第１レンズ群      1      -10.91327
第２レンズ群     11       26.79648
合焦レンズ群     11       38.51278
【００７５】
この魚眼ズームレンズＺＬ２において、第３面は非球面形状に形成されている。次の表６に、非球面のデータ、すなわち円錐定数Ｋ及び各非球面定数Ａ4〜Ａ10の値を示す。
【００７６】
（表６）
［非球面データ］
Ｋ       Ａ4           Ａ6           Ａ8           Ａ10
第 3面   581.9001   1.06441E-05  -9.83205E-09   0.00000E+00   0.00000E+00
【００７７】
この魚眼ズームレンズＺＬ２において、第１レンズ群ＧＦと第２レンズ群ＧＲとの軸上空気間隔ｄ１０、及び、バックフォーカスＢｆは、上述したように、変倍時に変化する。また、合焦レンズ群ＧＦＦの物体側の間隔ｄ１０及び像側の間隔ｄ１７は合焦時に変化する。次の表７に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。
【００７８】
（表７）
［可変間隔データ］
無限遠                          中間距離
Ｗ         Ｍ         Ｔ        Ｗ         Ｍ         Ｔ
ｆ       8.17936   11.85140   15.45401
β                                       -0.02000   -0.02000   -0.02000
Ｄ０     0.0000     0.0000     0.0000   386.5527   571.1091   751.7172
ｄ１０  18.79753    7.71979    1.96753   19.11164    7.92085    2.12619
ｄ１７   3.49385    3.49385    3.49385    3.17974    3.29279    3.33518
Ｂｆ    38.49966   47.51601   56.36187   38.49963   47.51598   56.36185
至近
Ｗ         Ｍ         Ｔ
β      -0.16405   -0.26109   -0.33413
Ｄ０    27.3631    23.8639    25.1945
ｄ１０  21.42253   10.34479    4.59253
ｄ１７   0.86885    0.86885    0.86885
Ｂｆ    38.49805   47.51194   56.35521
【００７９】
次の表８に、この魚眼ズームレンズＺＬ２における各条件式対応値を示す。
【００８０】
（表８）
ｆｗ＝8.17936
ｆｔ＝15.45401
ｆＦ＝-10.91327
ｆＲ＝ 26.79648
ｆＦＦ＝38.51278
ｆＬ１＝-34.68622
ｆＬ２＝327.92430
［条件式対応値］
（１）ｆｗ／ｆＬ２＝0.0249
（２）−ｆＦ／（ｆｗ・ｆｔ）1/2＝0.9707
（３）ｆＲ／ｆｗ＝3.2761
（４）−ｆＬ１／ｆｗ＝4.2407
（５）ｎＬ２＝1.62299
（６）ｆＦＦ／ｆＲ＝1.4372
（７）θｗ＝89.119
（８）θｔ＝88.293
【００８１】
このように、この魚眼ズームレンズＺＬ２は、上記条件式（１）〜（８）を全て満足している。
【００８２】
この魚眼ズームレンズＺＬ２の、無限遠合焦時の最短焦点距離状態、中間焦点距離状態及び最長焦点距離状態における球面収差図、非点収差図、歪曲収差図、倍率色収差図及びコマ収差図を図４に示す。これらの各収差図より、この魚眼ズームレンズＺＬ２は、最短焦点距離状態から最長焦点距離状態にわたって諸収差が良好に補正され、優れた結像性能を有することがわかる。
【００８３】
［第３実施例］
図５は、第３実施例に係る魚眼ズームレンズＺＬ３の構成を示す図である。この図５に示す魚眼ズームレンズＺＬ３は、物体側から順に、負の屈折力を有する第１レンズ群ＧＦと、正の屈折力を有する第２レンズ群ＧＲと、から構成されている。
【００８４】
この魚眼ズームレンズＺＬ３において、第１レンズ群ＧＦは、物体側から順に、物体側に凸面を向けた負メニスカスレンズＬ１１、物体側のレンズ面が非球面形状に形成され、物体側に凹面を向けた正メニスカスレンズ形状の正レンズＬ１２、物体側に凸面を向けた負メニスカスレンズＬ１３、両凹負レンズＬ１４、及び、物体側に凸面を向けた正メニスカスレンズＬ１５で構成されている。また、第２レンズ群ＧＲは、物体側から順に、両凸正レンズＬ２１、物体側に凹面を向けた負メニスカスレンズＬ２２、両凹負レンズＬ２３と両凸正レンズＬ２４とを接合した接合レンズ、物体側に凹面を向けた負メニスカスレンズＬ２５、両凸正レンズＬ２６と両凹負レンズＬ２７と両凸正レンズＬ２８とを接合した接合レンズ、両凹負レンズＬ２９と両凸正レンズＬ２１０とを接合した接合レンズ、及び、両凸正レンズＬ２１１で構成されている。また、開口絞りＳは、両凸正レンズＬ２４と負メニスカスレンズＬ２５との間に配置されている。なお、この第３実施例では、負メニスカスレンズＬ１１が第１レンズ成分ＬＣ１に相当し、正レンズＬ１２が第２レンズ成分ＬＣ２に相当し、負メニスカスレズＬ１３が第３レンズ成分ＬＣ３に相当する。
【００８５】
この魚眼ズームレンズＺＬ３は、最短焦点距離状態から最長焦点距離状態への変倍に際し、第１レンズ群ＧＦと第２レンズ群ＧＲとの間隔が減少するように、各レンズ群が光軸に沿って移動するように構成されている。なお、開口絞りＳは第２レンズ群ＧＲと一体に移動する。
【００８６】
また、この魚眼ズームレンズＺＬ３において、第２レンズ群ＧＲ内の両凸正レンズＬ２１、負メニスカスレンズＬ２２、及び、両凹負レンズＬ２３と両凸正レンズＬ２４とを接合した接合レンズを合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【００８７】
以下の表９に、魚眼ズームレンズＺＬ３の諸元の値を掲げる。
【００８８】
（表９）第３実施例
［全体諸元］
最短焦点距離状態  最長焦点距離状態
ｆ      ＝   8.17936      〜  15.45401
Ｆｎｏ  ＝   3.55076      〜   4.60767
θ［°］＝  89.11926      〜  88.29318
Ｙ      ＝  11.2          〜  21.6
ＴＬ    ＝ 122.94470      〜 123.97692
［レンズデータ］
ｍ        ｒ          ｄ      νｄ      ｎｄ
物面      ∞
1      106.8309     2.6000    68.69    1.592820
2       17.0611    14.0000
3*   -1131.2640     3.0000    58.12    1.622990
4     -167.4490     0.1000
5       52.9787     1.5000    82.57    1.497820
6       13.5294     8.0000
7      -25.9814     1.2000    67.90    1.593190
8       37.3725     0.5000
9       29.4808     3.0000    22.74    1.808090
10      237.0399      d10
11       61.1835     1.0000    44.81    1.744000
12      -52.7927     1.0000
13      -10.9416     0.8000    40.66    1.883000
14      -11.3296     0.1000
15      -26.9117     0.8000    40.66    1.883000
16       26.4200     2.2000    47.14    1.670030
17      -16.4531      d17
18        0.0000     2.0500                        開口絞り
19      -11.0080     1.0000    58.96    1.518230
20      -23.0527     0.2000
21       15.5522     4.0000    70.45    1.487490
22      -22.9488     0.8000    40.80    1.883000
23       14.8259     4.0000    35.45    1.592700
24      -15.6985     0.1000
25      -37.3920     0.9300    37.35    1.834000
26       21.1167     4.0000    81.61    1.497000
27      -22.6535     0.2000
28       39.3714     3.0000    70.45    1.487490
29      -40.4423      Bf
像面      ∞
［レンズ群焦点距離］
レンズ群      始面    焦点距離
第１レンズ群      1      -10.91327
第２レンズ群     11       26.79648
合焦レンズ群     11       38.51278
【００８９】
この魚眼ズームレンズＺＬ３において、第３面は非球面形状に形成されている。次の表１０に、非球面のデータ、すなわち円錐定数Ｋ及び各非球面定数Ａ4〜Ａ10の値を示す。
【００９０】
（表１０）
［非球面データ］
Ｋ       Ａ4           Ａ6           Ａ8           Ａ10
第 3面     1.0000   6.78125E-06  -1.20993E-08   0.00000E+00   0.00000E+00
【００９１】
この魚眼ズームレンズＺＬ３において、第１レンズ群ＧＦと第２レンズ群ＧＲとの軸上空気間隔ｄ１０、及び、バックフォーカスＢｆは、上述したように、変倍時に変化する。また、合焦レンズ群ＧＦＦの物体側の間隔ｄ１０及び像側の間隔ｄ１７は合焦時に変化する。次の表１１に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。
【００９２】
（表１１）
［可変間隔データ］
無限遠                          中間距離
Ｗ         Ｍ         Ｔ        Ｗ         Ｍ         Ｔ
ｆ       8.17936   11.85140   15.45401
β                                       -0.01998   -0.01999   -0.01999
Ｄ０     0.0000     0.0000     0.0000   386.9838   571.5401   752.1482
ｄ１０  19.68422    8.60648    2.85422   19.99832    8.80754    3.01288
ｄ１７   3.52327    3.52327    3.52327    3.20916    3.32221    3.36460
Ｂｆ    38.50004   47.51639   56.36226   38.49992   47.51627   56.36213
至近
Ｗ         Ｍ         Ｔ
β      -0.19490   -0.27524   -0.39118
Ｄ０    19.6141    21.6755    18.5819
ｄ１０  22.83756   11.39224    5.94500
ｄ１７   0.36993    0.73751    0.43248
Ｂｆ    38.48796   47.49230   56.31354
【００９３】
次の表１２に、この魚眼ズームレンズＺＬ３における各条件式対応値を示す。
【００９４】
（表１２）
ｆｗ＝8.17936
ｆｔ＝15.45401
ｆＦ＝-10.91327
ｆＲ＝ 26.79648
ｆＦＦ＝38.51278
ｆＬ１＝-34.62238
ｆＬ２＝315.10353
［条件式対応値］
（１）ｆｗ／ｆＬ２＝0.0260
（２）−ｆＦ／（ｆｗ・ｆｔ）1/2＝0.9707
（３）ｆＲ／ｆｗ＝3.2761
（４）−ｆＬ１／ｆｗ＝4.2329
（５）ｎＬ２＝1.62299
（６）ｆＦＦ／ｆＲ＝1.4372
（７）θｗ＝89.119
（８）θｔ＝88.293
【００９５】
このように、この魚眼ズームレンズＺＬ３は、上記条件式（１）〜（８）を全て満足している。
【００９６】
この魚眼ズームレンズＺＬ３の、無限遠合焦時の最短焦点距離状態、中間焦点距離状態及び最長焦点距離状態における球面収差図、非点収差図、歪曲収差図、倍率色収差図及びコマ収差図を図６に示す。これらの各収差図より、この魚眼ズームレンズＺＬ３は、最短焦点距離状態から最長焦点距離状態にわたって諸収差が良好に補正され、優れた結像性能を有することがわかる。
【００９７】
［第４実施例］
図７は、第４実施例に係る魚眼ズームレンズＺＬ４の構成を示す図である。この図７に示す魚眼ズームレンズＺＬ４は、物体側から順に、負の屈折力を有する第１レンズ群ＧＦと、正の屈折力を有する第２レンズ群ＧＲと、から構成されている。
【００９８】
この魚眼ズームレンズＺＬ４において、第１レンズ群ＧＦは、物体側から順に、物体側に凸面を向けた負メニスカスレンズＬ１１、物体側のレンズ面が非球面形状に形成された両凸正レンズ形状の正レンズＬ１２、物体側に凸面を向けた負メニスカスレンズＬ１３、両凹負レンズＬ１４、及び、両凸正レンズＬ１５で構成されている。また、第２レンズ群ＧＲは、物体側から順に、両凸正レンズＬ２１、物体側に凹面を向けた正メニスカスレンズＬ２２、物体側に凹面を向けた負メニスカスレンズＬ２３、両凸正レンズＬ２４と両凹負レンズＬ２５と両凸正レンズＬ２６とを接合した接合レンズ、両凹負レンズＬ２７と両凸正レンズＬ２８とを接合した接合レンズ、及び、両凸正レンズＬ２９で構成されている。また、開口絞りＳは、正メニスカスレンズＬ２２と負メニスカスレンズＬ２３との間に配置されている。なお、この第４実施例では、負メニスカスレンズＬ１１が第１レンズ成分ＬＣ１に相当し、正レンズＬ１２が第２レンズ成分ＬＣ２に相当し、負メニスカスレズＬ１３が第３レンズ成分ＬＣ３に相当する。
【００９９】
この魚眼ズームレンズＺＬ４は、最短焦点距離状態から最長焦点距離状態への変倍に際し、第１レンズ群ＧＦと第２レンズ群ＧＲとの間隔が減少するように、各レンズ群が光軸に沿って移動するように構成されている。なお、開口絞りＳは第２レンズ群ＧＲと一体に移動する。
【０１００】
また、この魚眼ズームレンズＺＬ４において、第２レンズ群ＧＲ内の両凸正レンズＬ２１、及び、正メニスカスレンズＬ２２を合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【０１０１】
以下の表１３に、魚眼ズームレンズＺＬ４の諸元の値を掲げる。
【０１０２】
（表１３）第４実施例
［全体諸元］
最短焦点距離状態  最長焦点距離状態
ｆ      ＝   8.17936      〜  15.45401
Ｆｎｏ  ＝   3.70493      〜   4.63561
θ［°］＝  89.67686      〜  87.69398
Ｙ＝    ＝  11.2          〜  21.6
ＴＬ    ＝ 121.53492      〜 122.56713
［レンズデータ］
ｍ        ｒ          ｄ      νｄ      ｎｄ
物面      ∞
1      133.2019     2.6000    68.69    1.592820
2       18.0607    14.0000
3*    1443.2256     6.0000    58.12    1.622990
4     -386.1930     0.1000
5       64.7512     1.5000    82.57    1.497820
6       12.3601     8.0000
7      -20.6348     1.2000    67.90    1.593190
8       70.5515     0.1000
9       42.9250     3.0000    22.74    1.808090
10      -98.1262      d10
11       75.6661     1.3000    58.82    1.518230
12      -80.0572     0.6179
13      -41.9056     1.5000    82.57    1.497820
14      -20.0885      d14
15        0.0000     2.0500                        開口絞り
16      -11.8225     1.0000    58.96    1.518230
17      -27.0114     0.2000
18       14.5828     2.8481    70.45    1.487490
19      -21.9862     0.8000    40.80    1.883000
20       14.5053     4.0000    35.45    1.592700
21      -16.5561     0.1000
22      -46.7088     0.9300    37.35    1.834000
23       18.2954     4.0000    82.57    1.497820
24      -23.8751     0.1000
25       52.5188     3.0000    68.69    1.592820
26      -43.0903      Bf
像面      ∞
［レンズ群焦点距離］
レンズ群      始面    焦点距離
第１レンズ群      1      -10.91327
第２レンズ群     11       26.79648
合焦レンズ群     11       38.51278
【０１０３】
この魚眼ズームレンズＺＬ４において、第３面は非球面形状に形成されている。次の表１４に、非球面のデータ、すなわち円錐定数Ｋ及び各非球面定数Ａ4〜Ａ10の値を示す。
【０１０４】
（表１４）
［非球面データ］
Ｋ       Ａ4           Ａ6           Ａ8           Ａ10
第 3面  0.5574E+04  1.04412E-05  -1.15541E-08   0.00000E+00   0.00000E+00
【０１０５】
この魚眼ズームレンズＺＬ４において、第１レンズ群ＧＦと第２レンズ群ＧＲとの軸上空気間隔ｄ１０、及び、バックフォーカスＢｆは、上述したように、変倍時に変化する。また、合焦レンズ群ＧＦＦの物体側の間隔ｄ１０及び像側の間隔ｄ１４は合焦時に変化する。次の表１５に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。
【０１０６】
（表１５）
［可変間隔データ］
無限遠                          中間距離
Ｗ         Ｍ         Ｔ        Ｗ         Ｍ         Ｔ
ｆ       8.17936   11.85140   15.45401
β                                       -0.01999   -0.02000   -0.02000
Ｄ０     0.0000     0.0000     0.0000   386.5527   571.1091   751.7172
ｄ１０  20.64627    9.56854    3.81627   20.96038    9.76960    3.97494
ｄ１４   3.44288    3.44288    3.44288    3.12877    3.24182    3.28422
Ｂｆ    38.49977   47.51612   56.36199   38.49971   47.51606   56.36193
至近
Ｗ         Ｍ         Ｔ
β      -0.16375   -0.26055   -0.33344
Ｄ０    27.3631    23.8639    25.1945
ｄ１０  23.27127   12.19354    6.44127
ｄ１４   0.81788    0.81788    0.81788
Ｂｆ    38.49589   47.50630   56.34591
【０１０７】
次の表１６に、この魚眼ズームレンズＺＬ４における各条件式対応値を示す。
【０１０８】
（表１６）
ｆｗ＝8.17936
ｆｔ＝15.45401
ｆＦ＝-10.91327
ｆＲ＝ 26.79648
ｆＦＦ＝38.51278
ｆＬ１＝-35.54316
ｆＬ２＝489.65650
［条件式対応値］
（１）ｆｗ／ｆＬ２＝0.0167
（２）−ｆＦ／（ｆｗ・ｆｔ）1/2＝0.9707
（３）ｆＲ／ｆｗ＝3.2761
（４）−ｆＬ１／ｆｗ＝4.3455
（５）ｎＬ２＝1.62299
（６）ｆＦＦ／ｆＲ＝1.4372
（７）θｗ＝89.677
（８）θｔ＝87.694
【０１０９】
このように、この魚眼ズームレンズＺＬ４は、上記条件式（１）〜（８）を全て満足している。
【０１１０】
この魚眼ズームレンズＺＬ４の、無限遠合焦時の最短焦点距離状態、中間焦点距離状態及び最長焦点距離状態における球面収差図、非点収差図、歪曲収差図、倍率色収差図及びコマ収差図を図８に示す。これらの各収差図より、この魚眼ズームレンズＺＬ４は、最短焦点距離状態から最長焦点距離状態にわたって諸収差が良好に補正され、優れた結像性能を有することがわかる。
【０１１１】
［第５実施例］
図９は、第５実施例に係る魚眼ズームレンズＺＬ５の構成を示す図である。この図９に示す魚眼ズームレンズＺＬ５は、物体側から順に、負の屈折力を有する第１レンズ群ＧＦと、正の屈折力を有する第２レンズ群ＧＲと、から構成されている。
【０１１２】
この魚眼ズームレンズＺＬ５において、第１レンズ群ＧＦは、物体側から順に、物体側に凸面を向けた負メニスカスレンズＬ１１、物体側のレンズ面が非球面形状に形成され。物体側に凹面を向けた正メニスカスレンズ形状の正レンズＬ１２、物体側に凸面を向けた負メニスカスレンズＬ１３、及び、両凹負レンズＬ１４と両凸正レンズＬ１５とを接合した接合レンズで構成されている。また、第２レンズ群ＧＲは、物体側から順に、両凸正レンズＬ２１、物体側に凹面を向けた正メニスカスレンズＬ２２、物体側に凹面を向けた負メニスカスレンズＬ２３、両凸正レンズＬ２４、両凹負レンズＬ２５と両凸正レンズＬ２６とを接合した接合レンズ、両凹負レンズＬ２７と両凸正レンズＬ２８とを接合した接合レンズ、及び、両凸正レンズＬ２９で構成されている。また、開口絞りＳは、正メニスカスレンズＬ２２と負メニスカスレンズＬ２３との間に配置されている。なお、この第５実施例では、負メニスカスレンズＬ１１が第１レンズ成分ＬＣ１に相当し、正レンズＬ１２が第２レンズ成分ＬＣ２に相当し、負メニスカスレズＬ１３が第３レンズ成分ＬＣ３に相当する。
【０１１３】
この魚眼ズームレンズＺＬ５は、最短焦点距離状態から最長焦点距離状態への変倍に際し、第１レンズ群ＧＦと第２レンズ群ＧＲとの間隔が減少するように、各レンズ群が光軸に沿って移動するように構成されている。なお、開口絞りＳは第２レンズ群ＧＲと一体に移動する。
【０１１４】
また、この魚眼ズームレンズＺＬ５において、第２レンズ群ＧＲ内の両凸正レンズＬ２１、及び、正メニスカスレンズＬ２２を合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【０１１５】
以下の表１７に、魚眼ズームレンズＺＬ５の諸元の値を掲げる。
【０１１６】
（表１７）第５実施例
［全体諸元］
最短焦点距離状態  最長焦点距離状態
ｆ      ＝   8.17936      〜  15.45401
Ｆｎｏ  ＝   4.35887      〜   5.65693
θ［°］＝  88.77680      〜  87.40457
Ｙ      ＝  11.1          〜  21.6
ＴＬ    ＝ 122.31364      〜 123.34586
［レンズデータ］
ｍ        ｒ          ｄ      νｄ      ｎｄ
物面      ∞
1      139.5192     2.6000    68.69    1.592820
2       17.5973    14.0000
3*    -153.9142     6.0000    58.12    1.622990
4      -83.5580     0.1000
5       76.2559     1.5000    82.57    1.497820
6       13.8903     7.5000
7      -20.7874     2.0000    67.90    1.593190
8       50.9362     5.0000    22.74    1.808090
9      -77.0480      d9
10      202.0029     2.0000    70.31    1.487490
11      -22.2705     1.0000
12      -14.7300     1.0000    70.31    1.487490
13      -14.0540      d13
14        0.0000     2.0500                        開口絞り
15      -10.9220     1.0000    58.96    1.518230
16      -27.3283     0.2000
17       14.5768     3.0000    70.45    1.487490
18      -17.1720     0.2000
19      -17.5434     0.8000    40.80    1.883000
20       15.6308     4.0000    35.45    1.592700
21      -15.8250     0.1000
22     -122.0071     0.9300    37.35    1.834000
23       16.9989     4.0000    82.57    1.497820
24      -28.5890     0.1000
25       63.9793     3.0000    68.69    1.592820
26      -43.0903      Bf
像面      ∞
［レンズ群焦点距離］
レンズ群      始面    焦点距離
第１レンズ群      1      -10.91327
第２レンズ群     10       26.79648
合焦レンズ群     10       38.51278
【０１１７】
この魚眼ズームレンズＺＬ５において、第３面は非球面形状に形成されている。次の表１８に、非球面のデータ、すなわち円錐定数Ｋ及び各非球面定数Ａ4〜Ａ10の値を示す。
【０１１８】
（表１８）
［非球面データ］
Ｋ       Ａ4           Ａ6           Ａ8           Ａ10
第 3面     1.0000   8.47693E-06  -9.98792E-09   0.00000E+00   0.00000E+00
【０１１９】
この魚眼ズームレンズＺＬ５において、第１レンズ群ＧＦと第２レンズ群ＧＲとの軸上空気間隔ｄ９、及び、バックフォーカスＢｆは、上述したように、変倍時に変化する。また、合焦レンズ群ＧＦＦの物体側の間隔ｄ９及び像側の間隔ｄ１３は合焦時に変化する。次の表１９に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。
【０１２０】
（表１９）
［可変間隔データ］
無限遠                          中間距離
Ｗ         Ｍ         Ｔ        Ｗ         Ｍ         Ｔ
ｆ       8.17936   11.85140   15.45401
β                                       -0.02001   -0.02001   -0.02001
Ｄ０     0.0000     0.0000     0.0000   386.5527   571.1091   751.7172
ｄ９    18.69588    7.61815    1.86588   19.00999    7.81921    2.02455
ｄ１３   3.04005    3.04005    3.04005    2.72594    2.83899    2.88138
Ｂｆ    38.49771   47.51406   56.35993   38.49782   47.51416   56.36003
至近
Ｗ         Ｍ         Ｔ
β      -0.16518   -0.26310   -0.33670
Ｄ０    27.3631    23.8639    25.1945
ｄ９    21.32088   10.24315    4.49088
ｄ１３   0.41505    0.41505    0.41505
Ｂｆ    38.50457   47.53146   56.38842
【０１２１】
次の表２０に、この魚眼ズームレンズＺＬ５における各条件式対応値を示す。
【０１２２】
（表２０）
ｆｗ＝8.17936
ｆｔ＝15.45401
ｆＦ＝-10.91327
ｆＲ＝ 26.79648
ｆＦＦ＝38.51278
ｆＬ１＝-34.24009
ｆＬ２＝284.11496
［条件式対応値］
（１）ｆｗ／ｆＬ２＝0.0288
（２）−ｆＦ／（ｆｗ・ｆｔ）1/2＝0.9707
（３）ｆＲ／ｆｗ＝3.2761
（４）−ｆＬ１／ｆｗ＝4.1862
（５）ｎＬ２＝1.62299
（６）ｆＦＦ／ｆＲ＝1.4372
（７）θｗ＝88.777
（８）θｔ＝87.405
【０１２３】
このように、この魚眼ズームレンズＺＬ５は、上記条件式（１）〜（８）を全て満足している。
【０１２４】
この魚眼ズームレンズＺＬ５の、無限遠合焦時の最短焦点距離状態、中間焦点距離状態及び最長焦点距離状態における球面収差図、非点収差図、歪曲収差図、倍率色収差図及びコマ収差図を図１０に示す。これらの各収差図より、この魚眼ズームレンズＺＬ５は、最短焦点距離状態から最長焦点距離状態にわたって諸収差が良好に補正され、優れた結像性能を有することがわかる。
【０１２５】
［第６実施例］
図１１は、第６実施例に係る魚眼ズームレンズＺＬ６の構成を示す図である。この図１１に示す魚眼ズームレンズＺＬ６は、物体側から順に、負の屈折力を有する第１レンズ群ＧＦと、正の屈折力を有する第２レンズ群ＧＲと、正の屈折力を有する第３レンズ群ＧＲ２と、から構成されている。
【０１２６】
この魚眼ズームレンズＺＬ６において、第１レンズ群ＧＦは、物体側から順に、物体側に凸面を向けた正メニスカスレンズＬ１１と物体側に凸面を向けた負メニスカスレンズＬ１２とを接合した接合負レンズ、物体側のレンズ面が非球面形状に形成された平凹レンズ形状の負レンズＬ１３と両凸正レンズＬ１４とを接合した接合正レンズ、物体側に凸面を向けた負メニスカスレンズＬ１５、物体側に凹面を向けた負メニスカスレンズＬ１６、及び、両凸正レンズＬ１７で構成されている。また、第２レンズ群ＧＲは、物体側から順に、両凸正レンズＬ２１、物体側に凹面を向けた負メニスカスレンズＬ２２、両凹負レンズＬ２３と両凸正レンズＬ２４とを接合した接合正レンズ、物体側に凹面を向けた負メニスカスレンズＬ２５、両凸正レンズＬ２６と両凹負レンズＬ２７と両凸正レンズＬ２８とを接合した接合正レンズ、両凹負レンズＬ２９と両凸正レンズＬ２１０とを接合した接合負レンズ、及び、両凸正レンズＬ２１１で構成されている。また、第３レンズ群ＧＲ２は、物体側に凹面を向けた正メニスカスレンズＬ３１で構成されている。また、開口絞りＳは、両凸正レンズＬ２４と負メニスカスレンズＬ２５との間に配置されている。なお、この第６実施例では、正メニスカスレンズＬ１１と負メニスカスレンズＬ１２とを接合した接合負レンズが第１レンズ成分ＬＣ１に相当し、非球面負レンズＬ１３と両凸正レンズＬ１４とを接合した接合正レンズが第２レンズ成分ＬＣ２に相当し、負メニスカスレズＬ１５が第３レンズ成分ＬＣ３に相当する。
【０１２７】
この魚眼ズームレンズＺＬ６は、最短焦点距離状態から最長焦点距離状態への変倍に際し、第１レンズ群ＧＦと第２レンズ群ＧＲとの間隔が減少し、第２レンズ群ＧＲと第３レンズ群ＧＲ２との間隔が増加するように、第１レンズ群ＧＦ及び第２レンズ群ＧＲが光軸に沿って移動するように構成されている。なお、第３レンズ群ＧＲ２は、変倍時は、像面Ｉに対して固定されている。また、開口絞りＳは第２レンズ群ＧＲと一体に移動する。
【０１２８】
また、この魚眼ズームレンズＺＬ６において、第２レンズ群ＧＲ内の両凸正レンズＬ２１、物体側に凹面を向けた負メニスカスレンズＬ２２、及び、両凹負レンズＬ２３と両凸正レンズＬ２４とを接合した接合正レンズを合焦レンズ群ＧＦＦとし、無限遠から近距離物体への合焦はこの合焦レンズ群ＧＦＦを像側に移動させることにより行うように構成されている。開口絞りＳは、合焦時は、像面Ｉに対して固定されている。
【０１２９】
以下の表２１に、魚眼ズームレンズＺＬ６の諸元の値を掲げる。
【０１３０】
（表２１）第６実施例
［全体諸元］
最短焦点距離状態  最長焦点距離状態
ｆ      ＝   8.17936      〜  15.45400
Ｆｎｏ  ＝   3.600        〜   4.6004
θ［°］＝  89.55752      〜  88.16301
Ｙ      ＝  11.2          〜  21.6
ＴＬ    ＝ 125.22342      〜 127.71513
［レンズデータ］
ｍ        ｒ          ｄ      νｄ      ｎｄ
物面      ∞
1      119.7363     2.0000    64.10    1.516800
2      129.2654     2.6000    68.69    1.592820
3       16.2973    14.0000
4*       0.0000     1.5000    58.12    1.622990
5       39.1810     5.0000    36.40    1.620040
6    -1547.3832     0.1000
7      113.6869     1.5000    82.57    1.497820
8       14.3941     8.0000
9      -21.4869     1.2000    67.90    1.593190
10     -483.3493     0.1000
11       49.1186     3.0000    22.74    1.808090
12     -326.3461      d12
13       89.6931     1.0000    44.81    1.744000
14      -42.4050     1.0000
15      -11.1002     0.8000    40.66    1.883000
16      -11.5092     0.1000
17      -27.1565     0.8000    40.66    1.883000
18       33.3709     2.2000    47.14    1.670030
19      -17.0241      d19
20        0.0000     2.0500                        開口絞りＳ
21      -11.6423     1.0000    58.96    1.518230
22      -25.9425     0.2000
23       15.0576     3.6208    70.45    1.487490
24      -19.6098     0.8000    40.80    1.883000
25       15.1544     4.0000    35.45    1.592700
26      -16.0156     0.1000
27      -52.2049     0.9300    37.35    1.834000
28       19.5540     4.0000    82.57    1.497820
29      -28.4015     0.1000
30       53.4341     3.0000    68.69    1.592820
31      -41.9227      d31
32      -48.0000     1.5000    64.10    1.516800
33      -43.0903      Bf
像面      ∞
［レンズ群焦点距離］
レンズ群      始面    焦点距離
第１レンズ群      1      -10.91327
第２レンズ群     10       27.15108
第３レンズ群     32      738.29914
合焦レンズ群     10       38.51278
【０１３１】
この魚眼ズームレンズＺＬ６において、第４面は非球面形状に形成されている。次の表２２に、非球面のデータ、すなわち円錐定数Ｋ及び各非球面定数Ａ4〜Ａ10の値を示す。
【０１３２】
（表２２）
［非球面データ］
Ｋ       Ａ4           Ａ6           Ａ8           Ａ10
第 4面     1.0000   1.08611E-05  -6.23657E-09   0.00000E+00   0.00000E+00
【０１３３】
この魚眼ズームレンズＺＬ６において、第１レンズ群ＧＦと第２レンズ群ＧＲとの軸上空気間隔ｄ１２、及び、第２レンズ群ＧＲと第３レンズ群ＧＲ２との軸上空気間隔ｄ３１は、上述したように、変倍時に変化する。また、合焦レンズ群ＧＦＦの物体側の間隔ｄ１２及び像側の間隔ｄ１９は合焦時に変化する。次の表２３に、無限遠合焦状態、中間距離合焦状態及び至近合焦状態での最短焦点距離状態（Ｗ）、中間焦点距離状態（Ｍ）及び最長焦点距離状態（Ｔ）の各焦点距離状態における可変間隔を示す。なお、この魚眼ズームレンズＺＬ６のバックフォーカスＢｆは一定である。
【０１３４】
（表２３）
［可変間隔データ］
無限遠                          中間距離
Ｗ         Ｍ         Ｔ        Ｗ         Ｍ         Ｔ
ｆ       8.17936   11.85140   15.45400
β                                       -0.02000   -0.02000   -0.02000
Ｄ０     0.0000     0.0000     0.0000   385.6277   570.1593   750.7509
ｄ１２  17.44169    6.66929    1.07558   17.75579    6.87030    1.23361
ｄ１９   3.49395    3.49395    3.49395    3.17984    3.29293    3.33592
ｄ３１   0.50002   10.01893   19.35784    0.50002   10.01893   19.35784
Ｂｆ    37.58693   37.58693   37.58693   37.58693   37.58693   37.58693
至近
Ｗ         Ｍ         Ｔ
β      -0.03297   -0.04770   -0.06328
Ｄ０   224.7766   226.0301   222.2849
ｄ１２  17.96021    7.14868    1.57482
ｄ１９   2.97542    3.01455    2.99470
ｄ３１   0.50002   10.01893   19.35784
Ｂｆ    37.58693   37.58693   37.58693
【０１３５】
次の表２４に、この魚眼ズームレンズＺＬ６における各条件式対応値を示す。
【０１３６】
（表２４）
ｆｗ＝8.17936
ｆｔ＝15.45400
ｆＦ＝-10.91327
ｆＲ＝ 27.15108
ｆＦＦ＝38.51278
ｆＬ１＝-32.28251
ｆＬ２＝3072.16016
［条件式対応値］
（１）ｆｗ／ｆＬ２＝0.00266
（２）−ｆＦ／（ｆｗ・ｆｔ）1/2＝0.9707
（３）ｆＲ／ｆｗ＝3.3195
（４）−ｆＬ１／ｆｗ＝3.9468
（５）ｎＬ２＝1.62004
（６）ｆＦＦ／ｆＲ＝1.4185
（７）θｗ＝89.557
（８）θｔ＝88.163
【０１３７】
このように、この魚眼ズームレンズＺＬ６は、上記条件式（１）〜（８）を全て満足している。
【０１３８】
この魚眼ズームレンズＺＬ６の、無限遠合焦時の最短焦点距離状態、中間焦点距離状態及び最長焦点距離状態における球面収差図、非点収差図、歪曲収差図、倍率色収差図及びコマ収差図を図１２に示す。これらの各収差図より、この魚眼ズームレンズＺＬ６は、最短焦点距離状態から最長焦点距離状態にわたって諸収差が良好に補正され、優れた結像性能を有することがわかる。
【符号の説明】
【０１３９】
ＺＬ（ＺＬ１〜ＺＬ６）  魚眼ズームレンズ    ＧＦ  第１レンズ群
ＬＣ１  第１レンズ成分    ＬＣ２  第２レンズ成分    ＬＣ３  第３レンズ成分
ＧＲ  第２レンズ群    ＧＦＦ  合焦レンズ群    １  カメラ（光学機器）
【図１】
2017156507.tif 000003
【図２】
2017156507.tif 000004
【図３】
2017156507.tif 000005
【図４】
2017156507.tif 000006
【図５】
2017156507.tif 000007
【図６】
2017156507.tif 000008
【図７】
2017156507.tif 000009
【図８】
2017156507.tif 000010
【図９】
2017156507.tif 000011
【図１０】
2017156507.tif 000012
【図１１】
2017156507.tif 000013
【図１２】
2017156507.tif 000014
【図１３】
2017156507.tif 000015
【図１４】
2017156507.tif 000016